(57)【要約】【課題】  磁気ディスクの偏心量を定量的に測定することを目的とする。【解決手段】  第１の半径の範囲のユーザ領域と、第１の半径の範囲と重複しない第２の半径の範囲の偏心量測定領域とを有し、偏心量測定領域は相互に隣接する複数のトラックを有し複数のトラックの各々は磁性材を有する記録再生領域が非磁性材で形成されたガードバンド領域によって半径方向に分離されている。【選択図】  図３
2010231848.tif 000002
【特許請求の範囲】
【請求項１】
磁気ディスクの第１の半径の範囲に設けられ、ユーザデータを記録するデータ領域を有するユーザ領域と、
前記第１の半径の範囲と重複しない磁気ディスクの第２の半径の範囲に設けられた偏心量測定領域とを有し、
前記偏心量測定領域は相互に隣接する複数のトラックを有し、前記複数のトラックの各々は、磁性材を有する記録再生領域が非磁性材で形成されたガードバンド領域によって半径方向に分離されていることを特徴とする磁気ディスク。
【請求項２】
前記磁性材を有する記録再生領域では、各トラックの延在方向に沿って磁性材と非磁性材とが交互に配置されていることを特徴とする請求項１に記載の磁気ディスク。
【請求項３】
磁気ディスクの第１の半径の範囲に設けられユーザデータを記録するデータ領域を有するユーザ領域と、前記第１の半径の範囲と重複しない磁気ディスクの第２の半径の範囲に設けられた偏心量測定領域とを有し、前記偏心量測定領域は相互に隣接する複数のトラックを有し、前記複数のトラックの各々は磁性材を有する記録再生領域が非磁性材で形成されたガードバンド領域によって半径方向に分離され、前記偏心量測定領域の前記磁性材が磁化された磁気ディスクを回転させるためのスピンドルモータと、
前記スピンドルモータで回転されている前記磁気ディスクの前記偏心量測定領域上に配置され、前記偏心量測定領域から再生出力信号を得るための記録再生用のヘッドと、
前記磁気ディスクの偏心により前記磁気ディスクの回転に伴って前記記録再生用のヘッドが前記偏心量測定領域の前記相互に隣接する複数のトラックを横断することによって生ずる前記再生出力信号のレベルの変化を検出することにより前記磁気ディスクの偏心量を測定するための測定手段とを有する磁気ディスク評価装置。
【請求項４】
前記磁性材を有する記録再生領域では、各トラックの延在方向に沿って磁性材と非磁性材とが交互に配置され、前記記録再生用のヘッドは前記磁性材と非磁性材とが交互に配置されていることにより得られる交流再生出力信号を得、前記測定手段は前記磁気ディスクの偏心により前記磁気ディスクの回転に伴って前記記録再生用のヘッドが前記相互に隣接する複数のトラックを横断することによって生ずる前記交流再生出力信号の振幅の変化を検出することにより前記磁気ディスクの偏心量を測定することを特徴とする請求項３に記載の磁気ディスク評価装置。
【請求項５】
磁気ディスクの第１の半径の範囲に設けられユーザデータを記録するデータ領域を有するユーザ領域と、前記第１の半径の範囲と重複しない磁気ディスクの第２の半径の範囲に設けられた偏心量測定領域とを有し、前記偏心量測定領域は相互に隣接する複数のトラックを有し、前記複数のトラックの各々は磁性材を有する記録再生領域が非磁性材で形成されたガードバンド領域によって半径方向に分離され、前記偏心量測定領域の前記磁性材が磁化された磁気ディスクを回転させるためのスピンドルモータと、
前記スピンドルモータで回転されている前記磁気ディスクの前記データ領域にユーザデータを記録し或いは前記データ領域に記録されたユーザデータを再生するとともに、前記偏心量測定領域上に配置され、前記偏心量測定領域から再生出力信号を得るための記録再生用のヘッドと、
前記磁気ディスクの偏心により前記磁気ディスクの回転に伴って前記記録再生用のヘッドが前記相互に隣接する複数のトラックを横断することによって生ずる前記再生出力信号のレベルの変化を検出することにより前記磁気ディスクの偏心量を測定するための測定手段とを有する磁気ディスク装置。
【請求項６】
前記磁性材を有する記録再生領域では、各トラックの延在方向に沿って磁性材と非磁性材とが交互に配置され、前記記録再生用のヘッドは前記と非磁性材とが交互に配置されていることにより得られる交流再生出力信号を得、前記測定手段は前記磁気ディスクの偏心により前記磁気ディスクの回転に伴って前記記録再生用のヘッドが前記相互に隣接する複数のトラックを横断することによって生ずる前記交流再生出力信号の振幅の変化を検出することにより前記磁気ディスクの偏心量を測定することを特徴とする請求項５に記載の磁気ディスク装置。
【請求項７】
磁気ディスクの第１の半径の範囲に設けられユーザデータを記録するデータ領域を有するユーザ領域と、前記第１の半径の範囲と重複しない磁気ディスクの第２の半径の範囲に設けられた偏心量測定領域とを有し、前記偏心量測定領域は相互に隣接する複数のトラックを有し、前記複数のトラックの各々は磁性材を有する記録再生領域が非磁性材で形成されたガードバンド領域によって半径方向に分離された磁気ディスクの前記偏心量測定領域の前記磁性材を磁化する磁化段階と、
前記磁化段階で磁化された前記磁気ディスクをスピンドルモータにより回転させ、記録再生用のヘッドを前記磁気ディスクの前記偏心量測定領域上に配置し、前記偏心量測定領域から再生出力信号を得る再生段階と、
前記磁気ディスクの偏心により前記磁気ディスクの回転に伴って前記記録再生用のヘッドが前記相互に隣接する複数のトラックを横断することによって生ずる前記再生出力信号のレベルの変化を検出することにより前記磁気ディスクの偏心量を測定する測定段階とを有する磁気ディスクの偏心量測定方法。
【請求項８】
前記磁性材を有する記録再生領域では、各トラックの延在方向に沿って磁性材と非磁性材とが交互に配置され、前記再生段階では前記と非磁性材とが交互に配置されていることにより得られる交流再生出力信号を得、前記測定段階では前記磁気ディスクの偏心により前記磁気ディスクの回転に伴って前記記録再生用のヘッドが前記相互に隣接する複数のトラックを横断することによって生ずる前記交流再生出力信号の振幅の変化を検出することにより前記磁気ディスクの偏心量を測定することを特徴とする請求項７に記載の磁気ディスクの偏心量測定方法。
【発明の詳細な説明】
【技術分野】
【０００１】
実施例は磁気ディスク、磁気ディスク評価装置、磁気ディスク装置および磁気ディスクの偏心量測定方法に関する。
【背景技術】
【０００２】
情報記録領域が予め形成されており、磁気ヘッドにより情報が記録される磁気ディスクに、偏心を測定するためのパターンを形成する構成が知られている。
【先行技術文献】
【特許文献】
【０００３】
【特許文献１】特開平９−２５０９０６号公報
【発明の概要】
【発明が解決しようとする課題】
【０００４】
磁気ディスクを磁気ディスク装置或いは磁気ディスク評価装置に取り付けた際の偏心量を定量的に測定するための構成を提供することが実施例の目的である。
【課題を解決するための手段】
【０００５】
磁気ディスクは、磁気ディスクの第１の半径の範囲に設けられ、ユーザデータを記録するデータ領域を有するユーザ領域と、前記第１の半径の範囲と重複しない磁気ディスクの第２の半径の範囲に設けられた偏心量測定領域とを有する。前記偏心量測定領域は相互に隣接する複数のトラックを有し、前記複数のトラックの各々は、磁性材を有する記録再生領域が非磁性材で形成されたガードバンド領域によって半径方向に分離されている。
【０００６】
当該磁気ディスクの偏心量測定領域の磁性体を磁化した後に当該磁気ディスクを磁気ディスク装置又は磁気ディスク評価装置のスピンドルモータに取り付けて回転させ、記録再生用のヘッドを偏心量測定領域上に配置する。磁気ディスクの偏心により磁気ディスクの回転に伴って記録再生用のヘッドが相互に隣接する複数のトラックを横断する場合がある。当該トラックの横断に伴って記録再生用のヘッドから得られる再生出力信号のレベルが変化し、当該再生出力信号の変化を検出することにより前記磁気ディスクの偏心量を測定することができる。
【発明の効果】
【０００７】
実施例によれば、磁気ディスクを磁気ディスク装置或いは磁気ディスク評価装置に取り付けた際の偏心量を定量的に測定するための構成を提供することができる。
【図面の簡単な説明】
【０００８】
【図１】実施例１および実施例２のいずれにも適用可能な磁気ディスクの平面図である。
【図２】図１に示されるユーザ領域および偏心量測定領域の構成を部分的に示す平面図である。
【図３】図２に示されるユーザ領域のデータ領域および偏心量測定領域のいずれにも適用可能な構成例を詳細に示す平面図である。
【図４】実施例２の偏心量測定領域の記録再生領域の構成の例であって、図３に示す記録再生領域においてトラック方向に沿って磁性材と非磁性材とが交互に配置された例を示す平面図である。
【図５】実施例１の磁気ディスクを使用した場合の偏心量測定動作の一例の流れを示すフローチャートである。
【図６】実施例１の磁気ディスクを使用した場合の偏心量測定動作の他の例の流れを示すフローチャートである。
【図７】実施例２の磁気ディスクを使用した場合の偏心量測定動作の一例の流れを示すフローチャートである。
【図８】実施例２の磁気ディスクを使用した場合の偏心量測定動作の他の例の流れを示すフローチャートである。
【図９】実施例１の磁気ディスクの偏心量測定領域から得られた再生出力信号の一の波形例を示す図である。
【図１０】実施例１の磁気ディスクの偏心量測定領域から得られた再生出力信号の他の波形例を示す図である。
【図１１】実施例２の磁気ディスクの偏心量測定領域から得られた再生出力信号の波形例を示す図である。
【図１２】実施例３の磁気ディスク装置の一例の平面図である。
【図１３】実施例４の磁気ヘッド評価装置の一例のハードウェアブロック図である。
【図１４】上記実施例３の磁気ディスク装置および実施例４の磁気ヘッド評価装置のいずれにも適用可能な一例の機能ブロック図である。
【発明を実施するための形態】
【０００９】
実施例は、記録再生用のヘッド、すなわち磁気ヘッドによりデータが記録再生される磁気ディスク、その偏心量を測定するための方法、同方法を実行する磁気ディスク評価装置および磁気ディスク装置のそれぞれを含む。
【００１０】
実施例の磁気ディスクのユーザ領域には、データを記録再生するデータ領域と、データ領域と同心円状にデータ領域に連続する形でヘッドを位置決めするためのサーボ領域とが設けられている（後述する図２参照）。
【００１１】
近年、磁気ディスク装置の大容量化によりディスクリート・トラック・メディア（すなわちＤＴＭ、以下同様）方式やビッド・パターンド・メディア（すなわちＢＰＭ、以下同様）方式が注目されている。ＤＴＭ方式によれば、データ領域が、磁気記録部として有効な磁性体で構成された記録再生領域と、非磁性体で構成されたガードバンド領域とを有する。記録再生領域は同心円状に連続膜で形成されており、半径方向にはガードバンド領域と記録再生領域とが交互に配置される（後述する図３参照）。ＢＰＭ方式では更に記録再生領域が連続膜ではなく、円周方向に沿って磁性体と非磁体とが交互に配置される（後述する図４参照）。また上記サーボ領域はサーボ情報の始点を示すサーボマーク、シンリダー番号やセクター番号を特定するためにグレイコード、磁気ヘッドをトラックキングするためのサーボバーストパターンを有する。
【００１２】
このようなＤＴＭ方式或いはＢＰＭ方式の磁気ディスクを磁気ディスク装置や磁気ディスク評価装置のスピンドルモータに取り付ける際に磁気ディスク上のトラック中心とスピンドルモータの回転中心とがズレてしまう場合が想定される。このズレによる偏心はデータを記録再生するときに磁気ディスク装置や磁気ディスク評価装置が行うトラッキングサーボに悪影響を及ぼし偏心量が大きい場合にはトラッキングが実施不可能となる場合も想定される。
【００１３】
実施例は、磁気ディスクを磁気ディスク装置や磁気ディスク評価装置に取り付けた際の偏心量を定量的に測定する方法および、磁気ディスク装置や磁気ディスク評価装置に対し、所定範囲内の偏心量で磁気ディスクを取り付けるための方法を提供する。
【００１４】
実施例では、磁気ディスクにおいて、トラックが非磁性体のガードバンド領域により分割されたＤＴＲ方式或いはＢＰＲ方式において、データ領域と同じトラックピッチおよびガードバンド幅を有する複数トラックで構成された偏心量測定領域を設ける。
【００１５】
実施例によれば、磁気ディスクが一回転する間に記録再生用のヘッドが横断した当該偏心量測定領域内のトラック数を計測する。その結果、実際にデータを記録再生するデータ領域のトラックに対する偏心量を、偏心量測定領域を利用することにより測定することができる。すなわち実施例では上記の如くデータ領域のトラック構成と偏心量測定領域のトラック構成とを一致させることが望ましい。その結果、ユーザ領域内のデータ領域のトラックにおける偏心量を、偏心量測定領域のトラックにおける偏心量を測定することにより把握することができる。ここでトラック構成とは、後述するトラックピッチＴＰ、データ幅Ｗｄおよびガードバンド幅Ｗｇを意味する。
【００１６】
したがって磁気ディスクが一回転する間に記録再生用のヘッドが横断した偏心量測定領域内のトラック数を計測した計測値により、磁気ディスク装置や磁気ディスク評価装置のスピンドルモータに対する磁気ディスクの取り付け状態の良否が判定できる。その結果、偏心量が所定範囲内に収まった状態、すなわち磁気ディスクに対する記録再生用のヘッドの位置制御が可能な状態を有する磁気ディスク装置或いは磁気ディスク評価装置を提供しえる。
【００１７】
以下実施例について図を参照しながら説明する。
【００１８】
図１は実施例１および実施例２のいずれにも適用可能な構成の磁気ディスクの平面図を示し、図２は図１に示されるユーザ領域および偏心量測定領域の構成を部分的に示す平面図である。又図３は図２に示されるユーザ領域のデータ領域および偏心量測定領域のいずれにも適用可能な構成を詳細に示す平面図である。図２，図３中のクロストラック方向は図１の磁気ディスク１０の径方向と一致し、ダウントラック方向は磁気ディスク１０の周方向と一致する。
【００１９】
実施例１の磁気ディスクはＤＴＭ方式の磁気ディスクである。すなわち実施例１の磁気ディスク１０の場合、ユーザ領域１１のデータ領域１１ｄでは、図３に示すように非磁性体のガードバンド領域ＡＧおよび磁性体の記録再生領域ＡＲがそれぞれダウントラック方向に沿って延在する。また図３に示されるように、非磁性体のガードバンド領域ＡＧおよび磁性体の記録再生領域ＡＲは、クロストラック方向に交互に隣接するように設けられている。その結果クロストラック方向を見ると、非磁性体のガードバンド領域ＡＧと磁性体の記録再生領域ＡＲとが交互に出現する。ここでクロストラック方向のトラック幅をトラックピッチＴＰと称し、ガードバンド領域ＡＧの幅をガードバンド幅Ｗｇと称し、記録再生領域ＡＲの幅をデータ幅Ｗｇと称している。ここでＴＰ＝Ｗｄ＋Ｗｄである。
【００２０】
実施例２の磁気ディスクはＢＰＭ方式の磁気ディスクである。実施例２のディスク１０の場合、図４とともに後述するように、図１乃至３とともに上記した実施例１のＤＴＲ方式における記録再生領域ＡＲがさらに非磁性体ＰＯで分断される。
【００２１】
実施例１，実施例２とも、磁気ディスク１０のダウントラック方向に沿ってそれぞれ設けられる磁性体の記録再生領域ＡＲおよび非磁性体のガードバンド領域ＡＧは同心円状に形成される。理想的な磁気記録再生過程では、同心円状の、あるトラックの記録再生領域ＡＲに記録再生用のヘッドがオントラックする必要がある。ここで図１２，図１３とともに後述するように、磁気ディスク１０は磁気ディスク装置もしくは磁気ディスク評価装置においてスピンドルモータに取り付けられる。当該磁気ディスク１０のスピンドルモータへの取り付けの過程において、磁気ディスク１０のトラック中心とスピンドルモータの回転中心とが必ずしも一致しない事態が推測される。一般にこのような磁気ディスクの取り付けによる偏心は数十マイクロメートルと言われている。
【００２２】
記録再生用のヘッドである磁気ヘッドの位置は、磁気ディスク装置もしくは磁気ディスク評価装置においてサーボ制御が行われない場合、固定される。このため、上記トラック中心と回転中心との不一致、つまり偏心が存在すると、たとえば磁気ディスクの一回転の間に磁気ヘッドはデータ領域のトラックを数百トラック分横断する場合が想定される。尚このような偏心を考慮して磁気ディスク装置もしくは磁気ディスク評価装置において応答の早いサーボ制御を行った場合、副作用としてシーク動作の際のセトリングや外乱に対しての過度応答が生ずる等の問題が生ずることが想定される。したがって磁気ディスク装置或いは磁気ディスク評価装置に対し、磁気ディスクを所定範囲内の偏心量で取り付ける必要がある。
【００２３】
実施例１および２では、この目的を達成するため、図２に示す如く、データ領域１１ｄと同じトラックピッチ構成、すなわちデータ領域１１ｄと同様のトラックピッチＴＰ、ガードバンド幅Ｗｇおよびデータ幅Ｗｄを有する同心円状の偏心量測定領域１２を設ける。ここでユーザ領域１１では図２に示される如くデータ領域１１ｄと同心円状にサーボ領域１１ｓが設けられているが、偏心量測定領域１２にはサーボ領域は設けられない。すなわち偏心量測定領域１２では、図３に示される構成がサーボ領域によって分断されることなく、全周に亘って連続して設けられる（但し実施例２の場合、記録再生領域は図４の構成を有する）。又偏心量測定領域１２はユーザ領域１１とは異なる位置、つまりユーザ領域１１に対して外周側もしくは内周側、或いは内外周両側に設けられる。図１は偏心量測定領域１２がユーザ領域１１の内周側に設けられた例を示す。
【００２４】
磁気ディスク装置或いは磁気ディスク評価装置に実施例１又は２の磁気ディスクを取り付け後に偏心量を測定する場合、記録再生用のヘッドである磁気ヘッドをシークさせて当該偏心量測定領域１２に固定し、偏心量測定領域１２を再生する。そしてその再生出力信号から偏心量を定量的に測定し、当該測定結果により、磁気ディスク装置或いは磁気ディスク評価装置のスピンドルモータに対する磁気ディスク１０の取り付けの良否を判定する。そして磁気ディスク１０の取り付けが良好となるまで磁気ディスク装置或いは磁気ディスク評価装置のスピンドルモータへの磁気ディスク１０の再取り付けおよび取り付け後の偏心量の測定を繰り返す（後述する図５乃至図８参照）。
【００２５】
実施例１の場合、上記偏心量測定領域１２の記録再生領域ＡＲは偏心量の測定に先立って単一極性で磁化された状態（すなわちＤＣイレーズ状態）にされる。
【００２６】
実施例２の場合、上記偏心量測定領域１２の記録再生領域ＡＲが、図４に示すように、記録再生領域ＡＲが磁性体ＰＭと非磁性体ＰＯとが交互に配置された構成とされる。そして偏心量の測定に先立って上記磁性体ＰＭが単一極性で磁化される。又実施例２の他の方法として、上記偏心量測定領域１２の記録再生領域ＡＲは実施例１の場合と同様に全周が磁性体で形成され、当該記録再生領域ARをＤＣイレーズする代わりに、単一周波数で記録を行う（すなわちＡＣイレーズ）するようにしてもよい。当該実施例２の他の方法を実施例２の変形例と称する。ここで図４に示す如くの、記録再生領域ARが磁性体PMと非磁性体POとが交互に配置される構成と、実施例２の変形例の場合、すなわちACイレーズする場合とを比較すると、実施例２の変形例の場合に比し、実施例２では再生出力信号の振幅が半分になる。この点は後述する。なお上記振幅とは、たとえばピークツーピークアンプリチュード（すなわちpeak to peak amplitude）を示す（以下同様）。
【００２７】
ここで上記実施例２の変形例における如く、単一周波数で記録された状態、すなわちACイレーズ状態にする場合のビット長、および図４で示される実施例２の場合、すなわち記録再生領域ＡＲが磁性体PMと非磁性体ＰＯとが交互に配置される場合のビット長（すなわち周期、以下同様）について説明する。図４に示されるビット長Ｌは２πｒRをｆｃで除して得られる数値以下、すなわち２πｒＲ／ｆｃ以下とすることが望ましい。ここでｒは、磁気ディスク１０の偏心量を測定する際の、当該磁気ディスク１０を回転させるスピンドルモータの回転中心と、当該磁気ディスク１０から再生出力信号を得るための記録再生用のヘッドのリードコアの中心との間の距離を示す。上記スピンドルモータは磁気ディスク装置或いは磁気ディスク評価装置が有する。またＲは上記スピンドルモータの一秒間当たりの回転数を示す。ｆｃは上記磁気ディスク装置或いは磁気ディスク評価装置が有する再生回路のヘッドプリアンプのハイパスフィルタのカットオフ周波数を示す。上記再生回路のヘッドプリアンプは磁気ヘッドとしての一例のＭＲヘッドの磁気抵抗変化量を電圧、若しくは電流変換して増幅させる回路とすることができる。ここでＭＲヘッドにはＤＣの抵抗分があり、その抵抗による電圧効果を除去するためにＡＣカップリングされており、その目的のために上記ハイパスフィルター（ＨＰＦ）が含まれている。
【００２８】
以下に実施例１および実施例２のそれぞれの場合の磁気ディスク１０の構成並びに、各磁気ディスク１０を使用して偏心量を測定する際の手順の詳細について説明する。
【００２９】
上記の如く、実施例１および実施例２の各々の磁気ディスク１０は図２に示される如く、ユーザデータの記録又は再生を行うヘッドの位置検出用のサーボ領域１１ｓを有する。当該磁気ディスク１０は更に、サーボ領域１１ｓと周方向に連続して設けられたデータ領域１１ｄを有する。データ領域１１ｄは、図３に示される如く、ユーザデータを記録し又は再生するための磁性体からなる一定幅Ｗｄの記録再生領域ＡＲと、非磁性体からなる一定幅Ｗｇのガードバンド領域ＡＧとを有する。記録再生領域ＡＲおよびガードバンド領域ＡＧは、図３に示される如くに隣接して配置される。その結果、記録再生領域ARが一定のトラックピッチＴＰで交互に隣接して配置される。一例としてトラックピッチＴＰは１００ｎｍとされ、記録再生領域ＡＲの幅Ｗｄは６０ｎｍとされ、ガードバンド領域ＡＧの幅Ｗｇは４０ｎｍとされる。
【００３０】
磁気ディスク１０は更に、偏心量を測定するための偏心量測定領域１２を有する。偏心量測定領域１２では、図３に示される如く、上記ユーザ領域１１のデータ領域１１ｄのトラックと同様の構成のトラックを有する。すなわち偏心量測定領域１２の各トラックでは、ユーザ領域１１のデータ領域１１ｄと同様のトラックピッチＴＰおよび同じガードバンド幅ＴＧで、記録再生領域ＡＲおよびガードバンド領域ＡＧがそれぞれ周方向に沿って同心円状に径方向に隣接して配置されている。そして当該トラックが同心円状に径方向に隣接して複数設けられる。
【００３１】
ここで偏心量測定領域１２の配置の例として、ユーザ領域１１の外周側に偏心量測定領域１２を設ける配置例およびユーザ領域１１の内周側に偏心量測定領域１２を設ける配置例が考えられる。さらにはユーザ領域１１の外周側および内周側の両方に偏心量測定領域１２を設ける配置例も考えられる。図１は偏心量測定領域１２をユーザ領域１１の内周側に設けた配置例を示す。図１の例の場合、ユーザ領域１１は磁気ディスク１０の半径範囲Ｒ１に設けられており、偏心量測定領域１２は上記半径範囲とは重複しない半径範囲Ｒ２に設けられる。一例として、偏心量測定領域１２の半径範囲Ｒ１は５０μｍとされる。
【００３２】
又実施例１の磁気ディスク１０の場合、偏心量測定領域１２に含まれる各トラックの記録再生領域ＡＲでは、磁性体がトラック方向に沿って同心円状に連続して設けられる。
【００３３】
他方実施例２の磁気ディスク１０の場合図４に示される如く、偏心量測定領域１２に含まれる各トラックの記録再生領域ＡＲでは、磁性体ＰＭと非磁性体ＰＯとがトラック方向に沿って同心円状に周方向に隣接して交互に配置される。実施例２の磁気ディスク１０の場合、偏心量測定領域１２に含まれる各トラックの記録再生領域ＡＲにおいて同心円状に周方向に隣接して交互に配置される磁性体ＰＭと非磁性体ＰＯとの配置の周期は上記の如く、２πｒＲ／ｆｃ以下とすることが望ましい（すなわちＬ≦２πｒR／ｆｃ）。ここで上記の如くｒは偏心量を測定する際のスピンドルモータの回転中心と記録再生用のヘッドのリードコアの中心との間の距離を示す。またＲは磁気ディスク１０の一秒間当たりの回転数を示す。またｆｃは磁気ディスク１０を搭載する磁気ディスク装置或いは磁気ディスク評価装置に含まれる再生回路のヘッドプリアンプの特性で決まるカットオフ周波数を示す。
【００３４】
また実施例１の磁気ディスク１０の偏心量測定領域１２の記録再生領域ＡＲはスピンドルモータに取り付けられる前に、いわゆるＤＣイレーズ（すなわち同一方向で磁化）される。
【００３５】
また実施例２の磁気ディスク１０の偏心量測定領域の記録再生領域ＡＲの各磁性体ＰＭはスピンドルモータに取り付けられる前にＤＣイレーズ（すなわち同一方向で磁化）される。
【００３６】
そして実施例１の磁気ディスク１０を磁気ディスク装置或いは磁気ディスク評価装置のスピンドルモータに取り付けて偏心量を測定する場合、当該磁気ディスク装置或いは磁気ディスク評価装置の記録再生用のヘッドを偏心量測定領域上に固定する。当該状態において磁気ディスク１０をスピンドルモータにより上記回転数で回転させ、記録再生用のヘッドで再生出力信号を得る。そして当該再生出力信号の出力レベルを測定し、磁気ディスク１０の一回転当たりで、所定レベル以下となる回数或いはゼロクロス回数を計測することにより偏心量を測定する。実施例１の場合、偏心量測定領域１２の各トラックの記録再生領域ＡＲは図３に示されるように両側がガードバンド領域ＡＧで挟まれている。磁気ディスク１０が偏心してスピンドルモータに取り付けられている場合、磁気ディスク１０の回転に伴い、同心円状に隣接して設けられている偏心量測定領域１２のトラックが記録再生用のヘッドにより偏心量に応じたトラックの本数分横断される。記録再生用のヘッドがトラックを横断する場合、各トラックに含まれる記録再生領域ＡＲとガードバンド領域ＡＧを交互に横断する。記録再生領域ＡＲは上記の如くＤＣイレーズされているため、記録再生領域ＡＲ上に記録再生用のヘッドが位置する際には再生出力信号のレベルが比較的高い。他方、ガードバンド領域ＡＧは非磁性体であるため、ガードバンド領域ＡＧ上に記録再生用のヘッドが位置する際には再生出力信号のレベルが比較的低い。その結果磁気ディスク１０の回転に伴い、後述する図９，図１０に示されるように再生出力信号のレベルが周期的に変動する。当該周期的に変動する再生出力信号を後述するようにハイパスフィルタでフィルタリングすることにより、上記周期的に変動する再生出力信号の波形が周期的にゼロレベルを横切ることになる。その場合には上記の如く、ゼロクロス回数を計測することにより偏心量を測定することができる。
【００３７】
実施例２の磁気ディスク１０を磁気ディスク装置或いは磁気ディスク評価装置のスピンドルモータに取り付けて偏心量を測定する場合も、当該磁気ディスク装置或いは磁気ディスク評価装置記録再生用のヘッドを偏心量測定領域１２上に固定する。実施例２の場合、当該状態において磁気ディスク１０をスピンドルモータにより上記回転数で回転させ、記録再生用のヘッドを介し、後述する交流再生出力信号を得る。そして当該交流再生出力信号の振幅を測定し、磁気ディスク１０の一回転当たり、当該振幅が一定値以下となる回数を計測することにより偏心量を測定する。
【００３８】
実施例２の場合も、偏心量測定領域１２の各トラックの記録再生領域ＡＲは図３に示されるように両側がガードバンド領域ＡＧで挟まれている。磁気ディスク１０が偏心してスピンドルモータに取り付けられている場合、上記同様、磁気ディスク１０の回転に伴い、同心円状に隣接して設けられている偏心量測定領域１２のトラックは記録再生用のヘッドにより、偏心量に応じたトラックの本数分横断される。トラックが横断される場合、各トラックに含まれる記録再生領域ＡＲとガードバンド領域ＡＧとが交互に横断される。実施例２の磁気ディスク１０の場合、図４の如くの構成の記録再生領域ＡＲの各磁性材ＰＭが上記の如くＤＣイレーズされている。記録再生領域ＡＲ上に記録再生用のヘッドが位置する際、記録再生用のヘッドは、図４に示される如く周方向に交互に配置されている磁性材ＰＭと非磁性材ＰＯを順次走査する。各磁性材ＰＭはＤＣイレーズにより磁化されているため、各磁性材ＰＭ上に記録再生用のヘッドが位置する際には再生出力信号が比較的高い。他方非磁性材ＰＯ上に記録再生用のヘッドが位置する際には再生出力信号が比較的低い。その結果記録再生領域ＡＲ上に記録再生用のヘッドが位置する際、再生出力信号のレベルは磁気ディスク１０の回転に伴い周期的に増減する交流となる。
【００３９】
他方、実施例２の場合もガードバンド領域ＡＧは非磁性体であるため、ガードバンド領域ＡＧ上に記録再生用のヘッドが位置する際には再生出力信号は、記録再生領域ＡＲ上の場合の再生出力信号の交流より振幅の小さい交流となる。したがって再生出力信号の交流の振幅を測定すると、磁気ディスク１０の回転に伴い、後述する図１１に示されるように、再生出力信号の交流の振幅が周期的に変動する。そこで実施例２の磁気ディスク１０の場合、再生出力信号の交流の振幅を所定の閾値と比較し、磁気ディスク１０の一回転当たり、再生出力信号の交流の振幅が所定の閾値より低下した回数を計測することにより偏心量を測定する。
【００４０】
或いは実施例１の磁気ディスク１０の偏心量を測定する場合、上記の如く磁気ディスク１０の一回転当たりの、所定値以下となる回数或いはゼロクロス回数の計測の代わりに、所定時間内の、所定値以下となる回数或いはゼロクロス回数を計測することにより偏心量を測定しても良い。
【００４１】
同様に実施例２の磁気ディスク１０の偏心量を測定する場合、上記の如く磁気ディスク１０の一回転当たりの、再生出力信号の交流の振幅が閾値以下となる回数を測定する代わりに、所定時間内に再生出力信号の交流の振幅が閾値以下となる回数を測定することにより偏心量を測定しても良い。
【００４２】
また実施例１の磁気ディスク１０の偏心量の測定時に上記の如く所定時間内のゼロクロス回数を計測する場合、上記所定時間をゼロクロス回数で除することにより、偏心トラック平均時間を算出することができる。
【００４３】
同様に実施例２の磁気ディスク１０の偏心量の測定時に上記の如くに所定時間内に再生出力信号の交流の振幅が閾値以下となる回数を測定する場合、上記所定時間を再生出力信号の交流の振幅が閾値以下となる回数で除することにより、偏心トラック平均時間を算出することができる。
【００４４】
また上記の如く実施例１或いは実施例２の磁気ディスク１０の偏心量を測定した結果、測定された偏心量が所定の偏心量を上回った場合、磁気ディスク１０を再度磁気ディスク装置或いは磁気ディスク評価装置のスピンドルモータに取り付け直す。そしてその後、再度同様の方法で偏心量を測定する。当該再度の測定時に測定された偏心量が所定の偏心量以下となった場合、磁気ディスク装置或いは磁気ディスク評価装置に対する磁気ディスク１０の取り付けが完了したと判定することができる。
【００４５】
図５は上記実施例１の磁気ディスク１０を使用して偏心量の測定および磁気ディスク１０の取り付けの調整を行って偏心量を所定値以下とする場合の際のフローチャートである。
【００４６】
図５中、まずステップS1で磁気ディスク１０を磁気ディスク装置或いは磁気ディスク評価装置のスピンドルモータに取り付ける。そしてスピンドルモータを一定の回転数で回転させた状態でシーク動作により記録再生用のヘッド（すなわち磁気ヘッド。以下磁気ヘッドと称する）を当該磁気ディスク１０の偏心量測定領域１２上に位置付ける（ステップS２）。その状態で、スピンドルモータが一回転する間に一回得られるインデックス信号の間隔で、再生出力信号が所定値以下となる回数Nを計測する（ステップS３、S４，S５）。なお上記所定値をゼロとすることができ、その場合再生出力信号波形のゼロクロス回数Nを計測する。又再生出力信号とは磁気ヘッドにより前記磁気ディスク１０の偏心量測定領域１２から検出された信号が信号増幅器（すなわち上記再生回路のヘッドプリアンプ）で増幅することにより得られる信号を意味する。より具体的には、ステップS３で上記インデックス信号が検出されると、再生出力信号が所定値以下となる回数（或いはゼロクロス回数、以下同様）を計測する（ステップS４）。そしてステップS５で再びインデックス信号が検出されるか否かを判定し、インデックス信号が検出されていなければステップS４に戻り、再生出力信号が所定値以下となる回数を計測する。ステップS５でインデックス信号が検出される（YES）迄、上記ステップS４の動作を繰り返し、再生出力信号が所定値以下となる回数を継続して計測する。ステップS５でインデックス信号が検出される（YES）と、ステップS４の動作、すなわち再生出力信号が所定値以下となる回数の計測動作を終了する。そして上記ステップS3で最初にインデックス信号が検出されてからステップS５で再びインデックス信号が検出されるまでの間にステップS4で計測された、再生出力信号が所定値以下となる回数を、最終的な回数Nとして得る。その結果磁気ディスク１０が一回転する間に再生出力信号が所定値以下となる回数として、回数Nが得られる。
【００４７】
ここで偏心量がゼロの場合、すなわち磁気ディスク１０がスピンドルモータに理想的に取り付けられた場合、一旦磁気ヘッドを偏心量測定領域１２の一の記録再生領域AR上に位置決めすると、磁気ディスク１０の回転によっても、磁気ヘッドは上記一の記録再生領域AR上に継続して位置し、当該磁気ヘッドを通して一定の出力信号が得られる。他方上記偏心量が有る程度の大きさであった場合、一旦磁気ディスク１０を偏心量測定領域１２の一の記録再生領域AR上に位置決めしても、その後の磁気ディスク１０の回転に伴い、磁気ヘッドは前記一の記録再生領域AR上からずれる。その結果磁気ヘッドは偏心量測定領域１２中の隣接するガードバンド領域ＡＧ上に位置し、更に隣接する他の記録再生領域AR上に位置する、というように、磁気ヘッドが偏心量測定領域１２中のトラックを順次横断する。したがって当該トラックの横断の量を求めることにより偏心量を求め得る。又当該トラックの横断の量は上記再生出力信号が所定値以下となる回数により測定され得る。
【００４８】
すなわち磁気ディスク１０の偏心量測定領域１２は上記の如くDCイレーズ、すなわち単一極性で磁化された状態とされている。その結果磁性体の記録再生領域ARは単一極性で磁化され、非磁性体のガードバンド領域ＡＧは磁化されない。したがって磁気ヘッドが記録再生領域AR上に位置する間は一定レベルの再生出力信号が得られるが、磁気ヘッドがガードバンド領域ＡＧに位置する間は上記一定レベルより低いレベルの再生出力信号が得られることになる。その結果上記トラックの横断により再生出力信号は上記一定レベルと上記一定レベルより低いレベルとの間で周期的に変動する。そこで上記一定レベルと上記一定レベルより低いレベルとの間に上記所定値（すなわち閾値）を設定することにより、当該トラックの横断の量を、上記再生出力信号が所定値以下となる回数の計測により測定し得る。又前述のように再生回路のヘッドプリアンプのハイパスフィルタにより再生出力信号のＤＣ成分を除去すると、上記トラックの横断に伴う再生出力信号の周期的な変動の都度、ゼロレベルが横断される。その結果再生出力信号のゼロクロス回数を計測することにより前記トラックの横断の量を測定でき、すなわち偏心量を測定できる。
【００４９】
前記回数Ｎが所定の偏心許容値を超過する場合（ステップＳ６のＮＯ）、磁気ディスク１０を一旦スピンドルモータから取り外した後、スピンドルモータに再度取り付ける（ステップＳ７）。その後上記ステップＳ２乃至Ｓ６の動作を繰り返す。そしてステップＳ６の判定の結果前記回数Ｎが所定の偏心許容値以下となる（ステップＳ６のＹＥＳ）まで、ステップＳ２，Ｓ３，Ｓ４，Ｓ５，Ｓ６，Ｓ７の動作を繰り返す。ステップＳ６の判定の結果前記回数Ｎが所定の偏心許容値以下となった時点（ステップＳ６のＹＥＳ）で、磁気ディスク１０のスピンドルモータへの取り付け作業を終了する（ステップＳ８）。
【００５０】
ここで図５中、上記所定値（閾値）は、たとえば上記再生出力信号の周期的な変動における再生出力信号の最大値と最小値との中間の値に設定することができる。すなわち、所定値＝（最大値−最小値）／２＋最小値、とすることができる。また上記所定の偏心許容値は、たとえば１００回とすることができる。
【００５１】
図６は上記図５の方法に対し、インデックス時間間隔の代わりに、ある所定の時間内に再生出力信号が所定値以下となる回数（或いは上記同様、再生出力信号波形のゼロクロス回数）を計測する。図６のステップＳ１１，Ｓ１２，Ｓ１４，Ｓ１８，Ｓ１９は、それぞれ図５のステップＳ１，Ｓ２，Ｓ４，Ｓ７，Ｓ８とそれぞれ同様であり、重複する説明を適宜省略する。
【００５２】
図６中、ステップS１２でスピンドルモータを一定の回転数で回転させた状態でシーク動作により磁気ヘッドを当該磁気ディスク１０の偏心量測定領域１２上に位置付ける。その状態で、上記所定の時間内に再生出力信号が所値以下となる回数（或いは再生出力信号波形のゼロクロス回数、以下同様）Nを計測する（ステップS１３、S１４，S１５）。より具体的には、ステップS１３で上記所定の時間を計測するタイマーをリセットし、再生出力信号が所定値以下となる回数を計測する（ステップS１４）。そしてステップS１５で上記タイマーが前記所定の時間を計測し終わったか否かを判定し、上記タイマーが前記所定の時間を計測し終わっていなければステップS１４に戻り、引き続き再生出力信号が所定値以下となる回数を計測する。ステップS１５で上記タイマーが前記所定の時間を計測し終わる（YES）迄、上記ステップS１４の動作を繰り返し、再生出力信号が所定値以下となる回数を継続して計測する。ステップS１５で上記タイマーが前記所定の時間を計測し終わる（YES）と、ステップS１４の動作、すなわち再生出力信号が所定値以下となる回数の計測を終了する。そして上記ステップS１3でタイマーをリセットしてからステップS１５で再び上記タイマーが前記所定の時間を計測し終わるまでの間にステップS１4で計測された、再生出力信号が所定値以下となる回数を、最終的な回数Nとして得る。その結果所定の時間内に再生出力信号が所定値以下となる回数として回数Nが得られる。
【００５３】
次にステップＳ１６にて、再生出力信号が所定値以下となる平均時間間隔を算出する。平均時間間隔は、前記所定の時間を前記回数Ｎで除することにより得られる。すなわち、平均時間間隔＝所定の時間／回数Ｎ、である。前記回数Ｎがゼロクロス回数の場合、ゼロクロス平均時間間隔＝所定の時間／ゼロクロス回数Ｎ、となる。そしてステップＳ１７にて、平均時間間隔（或いはゼロクロス平均時間間隔、以下同様）が所定値以上か否かを判定する。
【００５４】
前記平均時間間隔が所定値未満の場合（ステップＳ１７のＮＯ）、磁気ディスク１０を一旦スピンドルモータから取り外した後、スピンドルモータに再度取り付ける（ステップＳ１８）。その後上記ステップＳ１２乃至Ｓ１７の動作を繰り返す。そしてステップＳ１７の判定の結果前記平均時間間隔が所定の時間以上となる（ステップＳ１７のＹＥＳ）まで、ステップＳ１２，Ｓ１３，Ｓ１４，Ｓ１５，Ｓ１６，Ｓ１７、Ｓ１８の動作を繰り返す。ステップＳ１７の判定の結果前記平均時間間隔が所定の時間以上となる（ステップＳ１７のＮＯ）と、磁気ディスク１０のスピンドルモータへの取り付け作業を終了する（ステップＳ１９）。
【００５５】
図６中、ステップＳ１５の「所定の時間」はたとえば１０ｍｓとすることができる。又ステップＳ１７の「所定の値」はたとえば１１０μｓとすることができる。
【００５６】
次に図７，図８とともに、実施例２および実施例２の変形例の磁気ディスク１０の偏心量の測定および取り付けの調整動作の流れについて説明する。実施例２の磁気ディスク１０の場合、図４とともに上記の如く、偏心量測定領域１２の記録再生領域ARでは、トラックの延在方向に沿って、磁性体PMと非磁性体POとが交互に配置されている、その場合上記の如く、図４に示されるビット長Ｌは２πｒＲ／ｆｃ以下（すなわちＬ≦２πｒR／ｆｃ）とすることが望ましい。そして当該記録再生領域ARの各磁性体PMはDCイレーズされる。その場合、記録再生領域ARでは、トラックの延在方向に沿い、単一方向に磁化された磁性体PMと磁化されていない非磁性体POとが交互に配置された状態となる。その結果記録再生領域AR上に磁気ヘッドが位置した状態で磁気ディスク１０が一定速度で回転されると、再生出力信号のレベルは周期的に変動する。すなわち磁性体PM上では一定レベルの出力が得られ、非磁性体PO上では上記一定出力より低いレベルの出力が得られるため、磁気ディスク１０の回転に伴い、上記一定レベルと上記一定レベルより低いレベルとが交互に得られる。
【００５７】
或いは実施例２の変形例では上記の如く、図４の構成の代わりに、実施例１の磁気ディスク１０の場合と同様に偏心量測定領域１２の記録再生領域ARには全周に亘り磁性体が配置され、ACイレーズされるようにしてもよい。その場合、記録再生領域ARでは、上記ACイレーズにより、トラックの延在方向に沿い、磁化の方向が一定周期で交互に反転する。当該周期は図４の場合同様、２πｒRをｆｃで除して得られる数値以下、すなわち２πｒＲ／ｆｃ以下とすることが望ましい。その結果記録再生領域AR上に磁気ヘッドが位置した状態で磁気ディスク１０が一定速度で回転されると、再生出力信号のレベルは周期的に変動する。すなわちACイレーズによって得られた、一の極性で磁化された部分からは一の極性の再生出力信号が得られ、前記一の極性と逆の極性に磁化された部分からは上記一の極性の再生出力信号とは逆の極性の再生出力信号が得られる。このため、磁気ディスク１０の回転に伴い、再生出力信号として、上記一の極性の再生出力信号と上記一の極性の再生出力信号とは逆の極性の再生出力信号とが交互に得られる。その結果、図４に示される実施例２の場合と上記実施例２の変形例の場合とを比較すると、上記の如く、実施例２の変形例の場合に比し、実施例２では再生出力信号の振幅が半分になる。すなわち実施例２の変形例では上記の如く、再生出力信号の極性自体が反転するのに対し、図４の実施例２では再生出力信号の極性が一定であることから、振幅は半分となる。
【００５８】
図７は図５同様、インデックス間隔を基準とし、磁気ヘッドがトラックを横断した回数の計測に所定の閾値を使用した場合である。他方図８は図６同様、インデックス時間間隔の代わりに、所定の時間内に磁気ヘッドがトラックを横断した回数の計測に所定の閾値を使用した場合である。
【００５９】
図７中、まずステップS２1で磁気ディスク１０をスピンドルモータに取り付ける。そしてスピンドルモータを一定の回転数で回転させた状態でシーク動作により磁気ヘッドを当該磁気ディスク１０の偏心量測定領域１２上に位置付ける（ステップS１２）。その状態で、スピンドルモータの一回転で一回得られるインデックス信号の間隔で、交流再生出力信号の振幅が所定値以下となる回数Nを計測する（ステップS１３、S１４，S１５）。交流再生出力信号とは、実施例１の場合同様、磁気ヘッドにより前記磁気ディスク１０の偏心量測定領域１２から検出された信号が信号増幅器（すなわち上記再生回路のヘッドプリアンプ）で増幅することにより得られる信号を意味する。但し実施例２の場合上記の如く、偏心量測定領域１２の記録再生領域ARは図４の構成で各磁性材PMがDCイレーズされた状態或いは全周の磁性材がACイレーズされた状態とされている。その結果上記の如く、磁気ヘッドが偏心量測定領域１２の記録再生領域AR上に位置した状態で磁気ディスク１０が一定回転数で回転されると、偏心量がゼロの状態で、再生出力信号のレベルは上記の如く周期的に変動する。すなわちこの場合の再生出力信号は交流信号である。このように記録再生領域ARの各磁性材PMがDCイレーズされ或いは全周の磁性材がACイレーズされていることにより得られる交流信号である再生出力信号を交流再生出力信号と称する。
【００６０】
より具体的には、ステップS２３で上記インデックス信号が検出されると、交流再生出力信号の振幅が所定値以下となる回数を計測する（ステップS２４）。そしてステップS２５で再びインデックス信号が検出されるか否かを判定し、インデックス信号が検出されていなければステップS２４に戻り、交流再生出力信号の振幅が所定値以下となる回数を計測する。ステップS２５でインデックス信号が検出される（YES）迄、上記ステップS２４の動作を繰り返し、交流再生出力信号の振幅が所定値以下となる回数を継続して計測する。ステップS２５でインデックス信号が検出される（YES）と、ステップS２４の動作、すなわち交流再生出力信号の振幅が所定値以下となる回数の計測を終了する。そして上記ステップS２3で最初にインデックス信号が検出されてからステップS２５で再びインデックス信号が検出されるまでの間にステップS２4で計測された、交流再生出力信号の振幅が所定値以下となる回数を、最終的な回数Nとして得る。その結果磁気ディスク１０が一回転する間に交流再生出力信号の振幅が所定値以下となる回数として回数Nが得られる。
【００６１】
ここで偏心量がゼロの場合、すなわち磁気ディスク１０がスピンドルモータに理想的に取り付けられた場合、一旦磁気ヘッドを偏心量測定領域１２の一の記録再生領域AR上に位置決めすると、磁気ディスク１０の回転によっても、磁気ヘッドは常に上記一の記録再生領域AR上に位置し、当該磁気ヘッドを通して一定振幅の交流再生出力信号が得られる。他方上記偏心量が有る程度の大きさであった場合、一旦磁気ディスク１０を偏心量測定領域１２の一の記録再生領域AR上に位置決めしても、その後の磁気ディスク１０の回転に伴い、磁気ヘッドは前記一の記録再生領域AR上からずれる。その結果磁気ヘッドは偏心量測定領域１２中の隣接するガードバンド領域ＡＧ上に位置し、更に隣接する他の記録再生領域AR上に位置する、というように、磁気ヘッドが偏心量測定領域１２中のトラックを順次横断する。したがって当該トラックの横断の量の測定により偏心量を測定し得る。又当該トラックの横断の量は上記交流再生出力信号の振幅が所定値以下となる回数により測定され得る。
【００６２】
すなわち実施例２の場合磁気ディスク１０の偏心量測定領域１２の記録再生領域ARは磁性体PMと非磁性体POとが交互に配置されてDCイレーズされ或いは実施例２の変形例の場合全周の磁性体がACイレーズされている。その結果、磁気ヘッドが常に記録再生領域AR上に位置する間は一定レベルの振幅の交流再生出力信号が得られるが、磁気ヘッドがガードバンド領域ＡＧに位置する間は上記一定レベルより低いレベルの振幅の交流再生出力信号が得られる。その結果上記トラックの横断により交流再生出力信号の振幅は、上記一定レベルと上記一定レベルより低いレベルとの間で周期的に変動する。上記一定レベルと上記一定レベルより低いレベルとの間に上記所定値（すなわち閾値）を設定することにより、当該トラックの横断の量が上記交流再生出力信号の振幅が所定値以下となる回数により測定され得る。
【００６３】
前記回数Ｎが所定の偏心許容値を超過する場合（ステップＳ２６のＮＯ）、磁気ディスク１０を一旦スピンドルモータから取り外した後、スピンドルモータに再度取り付ける（ステップＳ２７）。その後上記ステップＳ２２乃至Ｓ２６の動作を繰り返す。そしてステップＳ２６の判定の結果前記回数Ｎが所定の偏心許容値以下となる（ステップＳ２６のＹＥＳ）まで、ステップＳ２２，Ｓ２３，Ｓ２４，Ｓ２５，Ｓ２６，Ｓ２７の動作を繰り返す。ステップＳ２６の判定の結果前記回数Ｎが所定の偏心許容値以下となる（ステップＳ２６のＹＥＳ）と、磁気ディスク１０のスピンドルモータへの取り付け作業を終了する（ステップＳ２８）。
【００６４】
次に図８について説明する。図８のステップＳ３１，Ｓ３２，Ｓ３４，Ｓ３８，Ｓ３９は、それぞれ図７のステップＳ２１，Ｓ２２，Ｓ２４，Ｓ２７，Ｓ２８と同様であり、重複する説明を適宜省略する。
【００６５】
図８中、ステップS３２でスピンドルモータを一定の回転数で回転させた状態でシーク動作により磁気ヘッドを当該磁気ディスク１０の偏心量測定領域１２上に位置付ける。その状態で、所定の時間内に交流再生出力信号の振幅が所値以下となる回数Nを計測する（ステップS３３、S３４，S３５）。より具体的には、ステップS３３で上記所定の時間を計測するタイマーをリセットし、交流再生出力信号の振幅が所定値以下となる回数を計測する（ステップS３４）。そしてステップS３５で上記タイマーが前記所定の時間を計測し終わったか否かを判定し、上記タイマーが前記所定の時間を計測し終わっていなければステップS３４に戻り、引き続き交流再生出力信号の振幅が所定値以下となる回数を計測する。ステップS３５で上記タイマーが前記所定の時間を計測し終わる（YES）迄、上記ステップS３４の動作を繰り返し、交流再生出力信号の振幅が所定値以下となる回数を継続して計測する。ステップS３５で上記タイマーが前記所定の時間を計測し終わる（YES）と、ステップS３４の動作、すなわち交流再生出力信号の振幅が所定値以下となる回数の計測を終了する。そして上記ステップS３３でタイマーをリセットしてからステップS３５で再び上記タイマーが前記所定の時間を計測し終わるまでの間にステップS３4で計測された、交流再生出力信号の振幅が所定値以下となる回数を、最終的な回数Nとして得る。その結果所定の時間内に交流再生出力信号の振幅が所定値以下となる回数として回数Nが得られる。
【００６６】
次にステップＳ３６にて、交流再生出力信号の振幅が所定値以下となる平均時間間隔を算出する。平均時間間隔は、前記所定の時間を前記回数Ｎで除することにより得られる。すなわち、平均時間間隔＝所定の時間／回数Ｎ、である。そしてステップＳ３７にて、平均時間間隔が所定値以上か否かを判定する。
【００６７】
前記平均時間間隔が所定値未満の場合（ステップＳ３７のＮＯ）、磁気ディスク１０を一旦スピンドルモータから取り外した後、スピンドルモータに再度取り付ける（ステップＳ３８）。その後上記ステップＳ３２乃至Ｓ３７の動作を繰り返す。そしてステップＳ３７の判定の結果前記平均時間間隔が所定の時間以上となる（ステップＳ３７のＹＥＳ）まで、ステップＳ３２，Ｓ３３，Ｓ３４，Ｓ３５，Ｓ３６，Ｓ３７、Ｓ３８の動作を繰り返す。ステップＳ３７の判定の結果前記平均時間間隔が所定の時間以上となる（ステップＳ３７のＮＯ）と、磁気ディスク１０のスピンドルモータへの取り付け作業を終了する（ステップＳ３９）。
【００６８】
次に実施例１，実施例２のそれぞれの磁気ディスク１０を使用して偏心量の測定を行う場合の再生出力信号波形の例について説明する。図９、図１０は実施例１の磁気ディスク１０、すなわち偏心量測定領域１２の記録再生領域ARの全周に亘って連続するように磁性材を配置し、単一極性で磁化させた状態の磁気ディスク１０の場合を示す。図９の例では、毎秒９０回転で磁気ディスク１０を回転させ、実験用に、磁気ヘッドが磁気ディスク１０一周で４００トラックを横断する偏心量を生じさせている。またデータ領域１１，偏心量測定領域１２ともにトラックピッチTpを磁気ヘッドの記録素子のライトコア幅Wcwと等しくすることができる。更に、磁気ヘッドの読出素子のリードコア幅Wcrをライトコア幅の０．５倍(0.5Wcw)とし、データ領域１１，偏心量測定領域１２ともにガードバンド領域AGの幅Wgをトラックピッチの０．４倍とすることができる。そして記録再生領域ARの幅Wdをトラックピッチの０．６倍とすることができる。
【００６９】
ここで上記トラックピットＴｐはたとえば１００ｎｍとし、ガードバンド領域ＡＧの幅Ｗｇは４０ｎｍとし、記録再生領域ARの幅Wｄは６０ｎｍとすることができる。
【００７０】
また磁気ディスク１０の偏心量測定領域１２を再生する際に使用する再生回路に含まれるヘッドプリアンプのハイパスフィルタのカットオフ周波数fcは１０ＫＨｚとすることができる。図９中、当該ハイパスフィルタを通る再生出力信号をBefore HPFの曲線として示す。但し図９では当該再生出力信号を、オントラック位置の場合（すなわち磁気ヘッドが偏心量測定領域１２の記録再生領域ARの中心上に位置している場合、以下同様）に得られる再生出力信号のレベルで正規化している。その結果オントラックしている状態では信号レベルは１となる。また偏心によりスピンドルモータの回転中心がトラック中心からずれた状態では信号のレベルは減衰する。そして磁気ヘッドが偏心量測定領域１２のガードバンド領域AGの中心に位置する場合、信号のレベルは０．２まで低下することが分かる。当該０．２となる理由は以下の通りである。すなわち磁気ヘッドがオントラック位置の場合磁気ヘッドのリードコア幅全体0.5Wcwが記録再生領域AR上に位置する。他方磁気ヘッドがガードバンド領域AGの中心の位置にある場合、磁気ヘッドのリードコア全体のうち、0.1Wcwの分が記録再生領域AR上に位置するに過ぎない。当該Before HPFの波形を使用して図５とともに上述した偏心量測定動作を行う場合、たとえば上記の如く、所定値（閾値）＝（最大値−最小値）／２＋最小値、とすることができる。その結果図９の例の場合、所定値＝（１−０．２）／２＋０．２＝０．６となる。
【００７１】
図９中のAfter HPFの曲線は、上記Before HPFの信号を上記ハイパスフィルタを通過させた際に得られる信号の波形を示す。ハイパスフィルタによりDC成分が除去される結果、平均値がゼロで信号の振幅が約０．４の波形が得られる。この場合図５とともに上記の如く、上記所定値をゼロとし、再生出力信号波形のゼロクロス回数を計測することで横断トラック数、すなわち偏心量を測定することができる。
【００７２】
図１０の例は上記図９の例に対し、実験のための偏心量として、磁気ディスク１０の一周で１００トラック分を生じさせた場合の例である。他の点については図９の場合と同様であり、重複した説明を省略する。
【００７３】
図１１は上記実施例２の磁気ディスク１０の場合の再生出力信号波形の例を示す。実施例２の場合とはすなわち以下の場合である。すなわち、上記の如く、偏心量測定領域１２の記録再生領域AR中、図４に示す如く、磁性体PMと非磁性体POとを交互に配置してDCイレーズするか或いは実施例２の変形例の場合、全周を磁性体としてACイレーズした状態で偏心量の測定を行う。尚図１１の場合、図９，１０の場合と異なり、図示されている波形は再生出力信号のレベルの波形そのものではなく、再生出力信号の交流の振幅の波形、すなわち上記交流再生出力信号の振幅の波形である。実施例１の場合再生出力信号として得られる信号はオントラック状態では直流信号となる。したがって当該信号はハイパスフィルタを通すことができない。他方実施例２の場合再生出力信号としてオントラック状態で上記の如く交流信号が得られる。したがって当該信号はハイパスフィルタを通すことができる。図１１の場合、図９，図１０のBefore HPFの場合同様、オントラック位置で正規化している。この場合はオントラック位置に対してガードバンド領域AGの中心の位置での振幅が０．２倍である。このため、上記の如く、所定値＝（最大値−最小値）／２＋最小値、で所定値（すなわち閾値）を求めると、所定値＝（１−０．２）／２＋０．２＝０．６となる。当該０．６を閾値とした場合、交流再生出力信号のレベルが０．６を以下の回数を計測することにより偏心量を計測し得る（すなわち図７中、ステップS２４）。
【００７４】
図１２は上記実施例１又は実施例２の磁気ディスク１０、或いは実施例２の変形例の磁気ディスク１０を使用した、実施例３の磁気ディスク装置の内部構造示す平面図である。当該磁気ディスク装置Aは図１４ともに後述するように、図５乃至図８とともに上記した方法で磁気ディスク１０の偏心量を計測する機能を有する。
【００７５】
図１２に示されるように、磁気ディスク装置Aはスピンドルモータ（図示を省略）、スピンドルモータによって回転される回転軸１０１および回転軸１０１に装着される磁気ディスクＸを有する。磁気ディスクXは上記実施例１の磁気ディスク１０或いは実施例２の磁気ディスク１０、或いは実施例２の変形例の磁気ディスク１０である。当該磁気ディスク装置Aは更に、磁気ディスクＸに対向して配置され、先端に磁気ヘッドＨを備えた浮上ヘッドスライダ１０２およびアーム軸１０３を有する。磁気ディスク装置Aは更に、浮上ヘッドスライダ１０２を先端に固着してアーム軸１０５を中心に磁気ディスクＸ上を水平に移動するためのスイングアーム１０４およびスイングアーム１０４を駆動して水平移動させるためのアクチュエータ１０５を有する。浮上ヘッドスライダ１０２、アーム軸１０３、スイングアーム１０４およびアクチュエータ１０５は、磁気ディスクＸ上において磁気ヘッドＨを移動させるヘッド移動機構として機能する。
【００７６】
図１２の磁気ディスク装置Ａにおいて、磁気ディスクＸに対して情報の記録または再生を行う場合、磁気回路で構成されたアクチュエータ１０５によりスイングアーム１０４が駆動される。そして浮上ヘッドスライダ１０２の先端に設けられた磁気ヘッドＨが回転状態にある磁気ディスクＸ上の所望のトラックに位置決めされる。磁気ヘッドＨには、磁気ディスクＸに対し磁気的に信号を書き込むための記録素子と、磁気ディスクＸに磁気的に記録された信号を検出する読出素子とが設けられている。当該磁気ディスク装置Ａの機能について図１４とともに後述する。
【００７７】
図１３は上記実施例１又は実施例２の磁気ディスク１０、或いは実施例２の変形例の磁気ディスク１０を使用した、実施例４の磁気ディスク評価装置のハードウェアブロック図である。当該磁気ディスク評価装置１１０は、図１４ともに後述するように、図５乃至図８とともに上記した方法で磁気ディスク１０の偏心量を計測する機能を有する。
【００７８】
実施例４の磁気ディスク評価装置１１０は、試験装置１１１と制御装置１１２とを有する。試験装置１１１にはスピンドルモータ１１４により一定回転数で回転される、評価対象としての磁気ディスク１１６が取り付けられている。当該磁気ディスク１０は上記実施例１の磁気ディスク１０或いは実施例２の磁気ディスク１０、或いは実施例２の変形例の磁気ディスク１０である。又ヘッド支持部１２０のアーム先端に磁気ヘッド１２４を取り付けたヘッドジンバルアッセンブリィ１２２が設けられている。ヘッドジンバルアッセンブリィ１２２に取り付けられている磁気ヘッド１２４は、記録素子と読出素子とが一体化された複合型の磁気ヘッドとすることができる。磁気ヘッド１２４の記録素子としては、水平磁気記録型の記録素子または垂直磁気記録型の記録素子を使用してもよい。また磁気ヘッド１２４に垂直磁気記録型の記録素子を使用する場合には、評価試験に使用する磁気ディスク１１６としては記録層と磁性体下地層を備えた垂直記憶用の磁気ディスクを使用することができる。更に、磁気ヘッド１２４の読出素子にはＧＭＲ素子やＴＭＲ素子などの磁気抵抗素子を使用することができる。
【００７９】
また試験装置１１１にはヘッドＩＣ１２６が設けられ、ヘッドＩＣ２６には磁気ヘッド１２４の記録素子に対し記録電流を供給するライトアンプと、読出素子からの読出信号を前置増幅するヘッドプリアンプとが組み込まれている。
【００８０】
制御装置１１２側にはＭＰＵ１２８が設けられている。またＭＰＵ１２８のバス１３０に対し、ＲＡＭなどの揮発メモリ１３２、フラッシュメモリなどの不揮発メモリ１３４、モータ駆動制御部１３６が接続されている。更にバス１３０には、ホストとのインタフェースを提供するホストインタフェース部１３８，コントローラ１４０及びリードチャネル１４２が接続されている。
【００８１】
図１４は図１２とともに上述した実施例３の磁気ディスク装置Ａおよび図１３とともに上述した磁気ディスク評価装置１１０のいずれにも適用可能な機能ブロック図を示す。なお説明の便宜上、図１４に示す機能ブロック図は上記実施例３の磁気ディスク装置Ａおよび磁気ディスク評価装置１１０の各々が有する機能の一部分について示す。
【００８２】
図１４中、磁気ディスク１０１１はスピンドルモータ１０１２に取り付けられる。磁気ディスク１０１１は上記実施例１の磁気ディスク１０或いは実施例２の磁気ディスク１０、或いは実施例２の変形例の磁気ディスク１０である。またスピンドルモータ１０１２は図１３中のスピンドルモータ１１４に対応する。磁気ヘッド１０１３は磁気ディスク１０１１に対し情報を記録したり、磁気ディスク１０１１から情報を再生するのに使用される。磁気ヘッド１０１３は図１２中の磁気ヘッドＨに対応し、図１３中の磁気ヘッド１２４に対応する。
【００８３】
ヘッド駆動部１０１４は磁気ディスク１０１１上で磁気ヘッド１０１３を移動するための機能部であり、図１２中のアクチュエータ１０５に対応し、図１３中のＶＣＭ１１８およびモータ駆動制御部１３６に対応する。又ライト信号生成部１０１５は制御部１０１７からの指示に応じ、磁気ヘッド１０１３の記録素子に対して供給するライト信号を生成する。リード信号処理部１０１６は磁気ヘッド１０１３の読出素子により磁気ディスク１０１１から検出された信号を処理し、制御部１０１７に供給する。ライト信号生成部１０１５は図１３中、ヘッドＩＣ１２６およびハードディスクコントローラ１４０に対応する。リード信号処理部１０１６は図１３中、ヘッドＩＣ１２６、リードチャネル１４２およびハードディスクコントローラ１４０に対応する。
【００８４】
制御部１０１７は図１３中、ＭＰＵ１２８に対応し、図１２の磁気ディスク装置Ａ或いは図１３の磁気ディスク評価装置１１０全体の動作を統括して制御する。又制御部１０１７は、図１２の磁気ディスク装置Ａ或いは図１３の磁気ディスク評価装置１１０全体の動作を統括して制御することにより、図５，図６，図７および図８とともに上記した磁気ディスク１０１１のトラック中心のスピンドルモータ１０１２の回転中心に対する偏心量の測定の動作を行う。
【００８５】
図１４中、スピンドルモータ１０１２，リード信号処理回路１０１６および制御部１０１７が測定手段に対応する。
【００８６】
以上の実施例を含む実施形態に関し、更に以下の付記を開示する。
（付記１）
磁気ディスクの第１の半径の範囲に設けられ、ユーザデータを記録するデータ領域を有するユーザ領域と、
前記第１の半径の範囲と重複しない磁気ディスクの第２の半径の範囲に設けられた偏心量測定領域とを有し、
前記偏心量測定領域は相互に隣接する複数のトラックを有し、前記複数のトラックの各々は、磁性材を有する記録再生領域が非磁性材で形成されたガードバンド領域によって半径方向に分離されていることを特徴とする磁気ディスク。
（付記２）
前記磁性材を有する記録再生領域では、各トラックの延在方向に沿って磁性材が連続して配置されていることを特徴とする付記１に記載の磁気ディスク。
（付記３）
前記磁性材を有する記録再生領域では、各トラックの延在方向に沿って磁性材と非磁性材とが交互に配置されていることを特徴とする付記１に記載の磁気ディスク。
（付記４）
前記磁性材と非磁性材とが交互に配置される周期は２πｒＲ／ｆｃ以下とされ、ｒは当該磁気ディスクの回転中心と記録再生用のヘッドのリードコアの中心との間の距離を示し、Ｒは当該磁気ディスクの１秒間当たりの回転数を示し、ｆｃは当該偏心量測定領域から得られる再生出力信号を増幅する増幅器のカットオフ周波数を示すことを特徴とする付記３に記載の磁気ディスク。
（付記５）
前記偏心量測定領域の前記磁性材が磁化されていることを特徴とする付記２に記載の磁気ディスク。
（付記６）
前記偏心量測定領域の前記磁性材が磁化されていることを特徴とする付記３に記載の磁気ディスク。
（付記７）
磁気ディスクの第１の半径の範囲に設けられユーザデータを記録するデータ領域を有するユーザ領域と、前記第１の半径の範囲と重複しない磁気ディスクの第２の半径の範囲に設けられた偏心量測定領域とを有し、前記偏心量測定領域は相互に隣接する複数のトラックを有し、前記複数のトラックの各々は磁性材を有する記録再生領域が非磁性材で形成されたガードバンド領域によって半径方向に分離され、前記偏心量測定領域の前記磁性材が磁化された磁気ディスクを回転させるためのスピンドルモータと、
前記スピンドルモータで回転されている前記磁気ディスクの前記偏心量測定領域上に配置され、前記偏心量測定領域から再生出力信号を得るための記録再生用のヘッドと、
前記磁気ディスクの偏心により前記磁気ディスクの回転に伴って前記記録再生用のヘッドが前記偏心量測定領域の前記相互に隣接する複数のトラックを横断することによって生ずる前記再生出力信号のレベルの変化を検出することにより前記磁気ディスクの偏心量を測定するための測定手段とを有する磁気ディスク評価装置。
（付記８）
前記磁性材を有する記録再生領域では、各トラックの延在方向に沿って磁性材が連続して配置されていることを特徴とする付記７に記載の磁気ディスク評価装置。
（付記９）
前記磁性材を有する記録再生領域では、各トラックの延在方向に沿って磁性材と非磁性材とが交互に配置され、前記記録再生用のヘッドは前記磁性材と非磁性材とが交互に配置されていることにより得られる交流再生出力信号を得、前記測定手段は前記磁気ディスクの偏心により前記磁気ディスクの回転に伴って前記記録再生用のヘッドが前記相互に隣接する複数のトラックを横断することによって生ずる前記交流再生出力信号の振幅の変化を検出することにより前記磁気ディスクの偏心量を測定することを特徴とする付記７に記載の磁気ディスク評価装置。
（付記１０）
前記測定手段は、前記磁気ディスクの偏心により前記磁気ディスクの回転に伴って前記記録再生用のヘッドが前記相互に隣接する複数のトラックを横断することによって磁気ディスクに生ずる前記再生出力信号のレベルの増減の回数を計測することにより前記磁気ディスクの偏心量を測定する付記８に記載の磁気ディスク評価装置。
（付記１１）
前記測定手段は、前記磁気ディスクの偏心により前記磁気ディスクの回転に伴って前記記録再生用のヘッドが前記相互に隣接する複数のトラックを横断することによって磁気ディスクに生ずる前記交流再生出力信号の振幅の増減の回数を計測することにより前記磁気ディスクの偏心量を測定する付記９に記載の磁気ディスク評価装置。
（付記１２）
磁気ディスクの第１の半径の範囲に設けられユーザデータを記録するデータ領域を有するユーザ領域と、前記第１の半径の範囲と重複しない磁気ディスクの第２の半径の範囲に設けられた偏心量測定領域とを有し、前記偏心量測定領域は相互に隣接する複数のトラックを有し、前記複数のトラックの各々は磁性材を有する記録再生領域が非磁性材で形成されたガードバンド領域によって半径方向に分離され、前記偏心量測定領域の前記磁性材が磁化された磁気ディスクを回転させるためのスピンドルモータと、
前記スピンドルモータで回転されている前記磁気ディスクの前記データ領域にユーザデータを記録し或いは前記データ領域に記録されたユーザデータを再生するとともに、前記偏心量測定領域上に配置され、前記偏心量測定領域から再生出力信号を得るための記録再生用のヘッドと、
前記磁気ディスクの偏心により前記磁気ディスクの回転に伴って前記記録再生用のヘッドが前記相互に隣接する複数のトラックを横断することによって生ずる前記再生出力信号のレベルの変化を検出することにより前記磁気ディスクの偏心量を測定するための測定手段とを有する磁気ディスク装置。
（付記１３）
前記磁性材を有する記録再生領域では、各トラックの延在方向に沿って磁性材が連続して配置されていることを特徴とする付記１２に記載の磁気ディスク装置。
（付記１４）
前記磁性材を有する記録再生領域では、各トラックの延在方向に沿って磁性材と非磁性材とが交互に配置され、前記記録再生用のヘッドは前記と非磁性材とが交互に配置されていることにより得られる交流再生出力信号を得、前記測定手段は前記磁気ディスクの偏心により前記磁気ディスクの回転に伴って前記記録再生用のヘッドが前記相互に隣接する複数のトラックを横断することによって生ずる前記交流再生出力信号の振幅の変化を検出することにより前記磁気ディスクの偏心量を測定することを特徴とする付記１２に記載の磁気ディスク装置。
（付記１５）
磁気ディスクの第１の半径の範囲に設けられユーザデータを記録するデータ領域を有するユーザ領域と、前記第１の半径の範囲と重複しない磁気ディスクの第２の半径の範囲に設けられた偏心量測定領域とを有し、前記偏心量測定領域は相互に隣接する複数のトラックを有し、前記複数のトラックの各々は磁性材を有する記録再生領域が非磁性材で形成されたガードバンド領域によって半径方向に分離された磁気ディスクの前記偏心量測定領域の前記磁性材を磁化する磁化段階と、
前記磁化段階で磁化された前記磁気ディスクをスピンドルモータにより回転させ、記録再生用のヘッドを前記磁気ディスクの前記偏心量測定領域上に配置し、前記偏心量測定領域から再生出力信号を得る再生段階と、
前記磁気ディスクの偏心により前記磁気ディスクの回転に伴って前記記録再生用のヘッドが前記相互に隣接する複数のトラックを横断することによって生ずる前記再生出力信号のレベルの変化を検出することにより前記磁気ディスクの偏心量を測定する測定段階とを有する磁気ディスクの偏心量測定方法。
（付記１６）
前記磁性材を有する記録再生領域では、各トラックの延在方向に沿って磁性材が連続して配置されていることを特徴とする付記１５に記載の磁気ディスクの偏心量測定方法。
（付記１７）
前記磁性材を有する記録再生領域では、各トラックの延在方向に沿って磁性材と非磁性材とが交互に配置され、前記再生段階では前記と非磁性材とが交互に配置されていることにより得られる交流再生出力信号を得、前記測定段階では前記磁気ディスクの偏心により前記磁気ディスクの回転に伴って前記記録再生用のヘッドが前記相互に隣接する複数のトラックを横断することによって生ずる前記交流再生出力信号の振幅の変化を検出することにより前記磁気ディスクの偏心量を測定することを特徴とする付記１５に記載の磁気ディスクの偏心量測定方法。
（付記１８）
前記測定段階では、前記磁気ディスクの偏心により前記磁気ディスクの回転に伴って前記記録再生用のヘッドが前記相互に隣接する複数のトラックを横断することによって生ずる前記再生出力信号のレベルの増減の回数を計測することにより前記磁気ディスクの偏心量を測定する付記１６に記載の磁気ディスクの偏心量測定方法。
（付記１９）
前記測定段階では、前記磁気ディスクの偏心により前記磁気ディスクの回転に伴って前記記録再生用のヘッドが前記相互に隣接する複数のトラックを横断することによって生ずる前記交流再生出力信号の振幅の増減の回数を計測することにより前記磁気ディスクの偏心量を測定する付記１７に記載の磁気ディスクの偏心量測定方法。
【符号の説明】
【００８７】
１０  磁気ディスク
１１  ユーザ領域
１１ｄ  データ領域
１１ｓ  サーボ領域
１２  偏心量測定領域
ＡＲ  記録再生領域
ＡＧ  ガードバンド領域
ＰＭ  磁性材
ＰＯ  非磁性材
Ｒ１，Ｒ２  半径範囲
１０１  スピンドルモータの回転軸
１０２  ヘッドスライダ
１０３  アーム軸
１０４  スイングアーム
１０５  アクチュエータ
Ａ  磁気ディスク装置
Ｈ  磁気ヘッド（記録再生用のヘッド）
Ｘ  磁気ディスク
１１０  磁気ディスク評価装置
１１１  試験装置
１１２  制御装置
１１４  スピンドルモータ
１１６  磁気ディスク
１２４  磁気ヘッド（記録再生用のヘッド）
１０１１  磁気ディスク
１０１２  スピンドルモータ
１０１３  磁気ヘッド（記録再生用のヘッド）
【図１】
2010231848.tif 000003
【図２】
2010231848.tif 000004
【図３】
2010231848.tif 000005
【図４】
2010231848.tif 000006
【図５】
2010231848.tif 000007
【図６】
2010231848.tif 000008
【図７】
2010231848.tif 000009
【図８】
2010231848.tif 000010
【図９】
2010231848.tif 000011
【図１０】
2010231848.tif 000012
【図１１】
2010231848.tif 000013
【図１２】
2010231848.tif 000014
【図１３】
2010231848.tif 000015
【図１４】
2010231848.tif 000016